(57)【要約】【課題】タオルやアカスリ、洗濯物などの沢山の物を掛ける事ができるバスルームハンガーを提供すること。【解決手段】浴室のシャワーカーテンを吊り下げるレール棒１に掛けるフック部と２、このフック部２の上部にあって天井に接触しつつフック部２の倒れを防ぐ支持部材６とから成るバスルームハンガーであり、更にフック部又は支持部材６から延びてくるアーム３、３′にハンガー部４、８を備えたバスルームハンガーとした。【選択図】図１
2012239875.tif 000002
【特許請求の範囲】
【請求項１】
浴室のシャワーカーテンを吊り下げるレール棒に掛けるフック部と、このフック部の上部にあって天井に接触しつつ前記フック部の倒れを防ぐ支持部材とから成り、更に前記フック部又は支持部材から延びてくるアームにハンガー部を備えた事を特徴とするバスルームハンガー。
【発明の詳細な説明】
【技術分野】
【０００１】  本発明は、風呂場においてタオルや洗濯物を干す為のバスルームハンガーに関するものである。
【背景技術】
【０００２】  風呂場ではタオルやアカスリを掛けたり、洗濯物を掛けたりしたいが、平らな壁ばかりで、フックなどの掛けるものがない。この為、吸盤を使った掛け具が活躍するが、余り重いものは無理である。
【発明の開示】
【発明が解決しようとする問題点】
【０００３】  本発明の目的は、吸盤を使った掛け具はタオルやアカスリなど少量の物しか掛けられないのに比し、タオルやアカスリ、洗濯物など沢山の物を掛ける事ができるバスルームハンガーを提供するところにある。
【課題を解決する為の手段】
【０００４】  浴室のシャワーカーテンを吊り下げるレール棒に掛けるフック部と、このフック部の上部にあって天井に接触しつつ前記フック部の倒れを防ぐ支持部材とから成り、更に前記フック部又は支持部材から延びてくるアームにハンガー部を備える構造とした。
【発明の効果】
【０００５】  本発明によれば、シャワーカーテンを吊り下げるレール棒や天井の様にしっかりとした強度の強いものによりハンガー部を支えるバスルームハンガーなので、タオルやアカスリ、各種洗濯物などの沢山の物を掛け・干す事ができる。
【発明を実施する為の形態】
【０００６】  図１は本発明によるバスルームハンガーを示し、先ず図１（イ）に示すバスルームハンガーは、浴室のシャワーカーテンを吊り下げるレール棒１に掛けるフック部２と、このフック部２の上部にあって天井に接触しつつフック部２の倒れを防ぐ支持部材６とから成り、更にフック部２から延びてくるアーム３にハンガー部４（棒状のもの）を備えている。この場合、ハンガー部４は図１（ロ）の様に支持部材６から延びてくるアーム３′に備えても良い。フック部２に形成された突出棒５には支持部材６に形成された穴が嵌り込んでおり、先ずフック部２をレール棒１に掛け支持部材６を天井に軽く接触させて、この状態を最も良く保つ孔（突出棒５や支持部材６の穴の部分に複数個の孔を形成しておく）にピン７を挿入して固定する。こうするとフック部２の倒れが防がれ、ハンガー部４にタオルやアカスリなどを掛ける事ができる。図１（イ）に示すバスルームハンガーにおいてはハンガー部４は棒状のものであるが、図１（ハ）の様に洗濯バサミを有するハンンガー部８を備える事ができる。こうすると沢山の洗濯物を洗濯バサミで挟んで干す事ができる。尚、図１（イ）においてはハンガー部４は図１（ニ）の様にフック部２の両側に備えても良い（図１（ハ）も同様である）。
【０００７】  風呂場等で使う石けんは使ってそのまま置いておくと、その置いた部分がドロドロした液体が溜ってヌルヌルし、石けんも乾燥せず、気持ちが悪いものである。この為、一般には石けん箱を使用するが、今度は石けん箱がドロドロ・ヌルヌルする事は同じで、石けんも良く乾燥するとは言えない。又、石けんを使ってそのまま直ぐ傍に置いておくと（１回１回、石けん箱に戻さないで）、滑って遠くへ飛んでしまい、使い勝手が良いとは言えない。以上の問題点を解消するには、図２（イ）に示す様に石けんを石けん入れネット９の中に入れておくのが良い。この石けん入れネット９は表面が網目状となっており、この網目状となった表面の所定部に（例えば底部に相当する部分に）一定の高さを有する突出部１２を備えている。石けんは開口部１０から入れ、外へ出ない様に輪ゴム１１で口を縛っておく（開口部１０を細く形成しておき、石けん入れネット９をシリコーンゴムの様なゴム弾性を有する高分子物質で作って開口部１０を大きく開けば、石けんがは入るから、輪ゴム１１は不要である）。
この石けん入れネット９はシリコーンゴム、エラストマーの様なゴム弾性を有する高分子物質で作るのが良い（この他、塩化ビニール樹脂なども）。
石けん入れネット９の表面は網目状になっているから、濡れたタオルやアカスリなどで表面をこすれば石けんが付き、これにより体を洗う事ができる（下側の表面をこすっても突出部１２は柔らかいから、容易に倒れて石けんが付く――従って突出部１２は上側の表面にも形成しても支障ない）。石けんを使い終ったら水をかけて２〜３回上下に振って（水を切る）、突出部１２が下になる様にして（突出部１２を上側の表面にも形成してある場合は、その様に意識する必要はないが）適当な所に置けば良い。こうしておけば突出部１２により石けんの下側には一定の空間ができるから、風通しが良くなり、石けんは良く乾燥する。従って、石けんを置いた場所がドロドロ・ヌルヌルしないし、石けん箱も不要である。又、石けんを使ったら直ぐ傍に置いておくだけでＯＫで（１回１回石けん箱に戻す必要がない）。滑って遠くへ飛んでしまう事がないので（石けん入れネット９はシリコーンゴムなどの様に高摩擦材料で作られている）。使い勝手が良く、全てがサーッと素早くできる。他で使って小さくなった石けんは石けん入れネット９の中に入れて最後まで使える利点もある。尚、図２（ロ）、（ハ）の様に適当なものに引っ掛けて石けんを吊り下げるフック１３や穴１４を備えておくと、一層便利である（フック１３や穴１４を形成すれば突出部１２がなくても従来の欠点はかなり解消される）。
【０００８】  冷蔵庫の野菜室や冷凍庫の中には野菜や食品パック類が収納されているか、沢山収納する為には重ねるよりは立てて収納する方が好ましい。
重ねて収納すると下のものが取り出しにくいだけでなく、うっかり気が付かず腐らしてしまう事がある。しかし立てて収納すると、形も大きさもバラバラで、倒れ易い。以上の問題点を解決するには図３に示す様にエンドストッパーを使用するのが良い。エンドストッパー１８、１８′は各々底板１５と側板１６と横方向に延びる支持板１７とから成り、互いに対向させて用いる。
支持板１７は側板１６にスポット溶接、リベットなどで結合されている。
キャベツ、白菜、ほうれん草、又は各種食品パック類は各々のエンドストッパー１８、１８′の間に並べて置くが（ブックエンドの使用法と同じ）、この場合、支持板１７に寄り掛ける様に配置すると倒れる事がない（底板１５に突出部１５′を形成するとこれに引っ掛かかって、一層倒れない）。エンドストッパー１８、１８′の間に挟まれている野菜を使ったら、減少した分、両者間の距離を詰める。
以上のエンドストッパー１８、１８′の組を１組、２組、３組と置いて、野菜室や冷凍室に収納するものを立てて沢山収納するのである。
【０００９】  浴槽の湯は表面は熱く底の方は冷たいので、一般には湯掻き棒（一端に板を取り付けた棒）で湯を掻き混ぜて湯加減を調べるが、この湯掻き棒は単にそれだけに使われる器具である。一方、湯の排水口は毛髪などのゴミで詰まる事があり、こうなると浴槽の湯を排出できないし、シャワーも使えない。
そこで前述の湯掻き棒に排出口の詰まりを解消する手段を備えさせれば、大変便利になる。図４（イ）がその為の湯掻き棒１９で、棒２０の先端部には通水カップ２１（合成ゴム、エラストマーなどのゴム弾性を有する高分子物質で作ったカップ状のもの）が備えられている。通水カップ２１は単なるカップ状のものでは棒２０を上に持ち上げる時に湯の流れが下方に向き、湯を掻き混ぜる能力が小さいので、湯の流れを横方向に向ける立ち上り縁２２を備えている（立ち上り縁２２は図４（ホ）の様に通水カップ２１の上部に備えても良い）。以上の湯掻き棒１９を湯の中に入れて上下に動かせば湯が掻き混ざり、湯加減が判るが、排水口にも髪などのゴミが詰った場合は（又は、水の排出が悪い場合）、図４（ロ）の様に湯槽の底に水を少し溜め、排水口２３の上部に湯掻き棒１９の通水カップ２１を当て、棒２０を押したり引いたりすれば強い水圧が加わり、排水口に詰ったゴミが押し流される。又は、排水口２３に詰ったゴミが通水カップ２１を引いた時に湯槽側へ逆流してくるから、このゴミを拾ってゴミ箱へ捨てれば良い。以上により排水口の詰まりを解消できる。図４（イ）において立ち上り縁２２の代りに通水カップ２１の上部に掻き混ぜ板２４を備えた実施例を図４（ハ）に示し、棒２０を持ち上げる時に湯を掻き混ぜる能力が同じ様に増す。尚、この掻き混ぜ板２４は図４（ニ）の様に通水カップ２１の下方側に備えても良い（通水カップ２１を使用する時は掻き混ぜ板２４を引き抜く）。通水カップ２１はピンク色、明るいブルなど鮮やかな色彩としておけば、浴室が明るくなる。尚、通水カップ２１は一種の吸盤であるから、壁などに吸い付かせ、棒２０にタオルなどを掛けることができる。
【００１０】  携帯電話器ではかわいいぬいぐるみなどのアクセサリーを付けているが、これは単なるアクセサリーでしかない。一方、ほこりや指紋などで曇った携帯電話器の画面やメガネなどは超微細繊維から成る布で拭くと非常にきれいに拭けるが、一般にはこの布は折り畳んで専用のケースや袋の中に入れて持ち歩いているのが一般的である。従って、量ばる欠点がある。以上の欠点を解消するには、図５に示す様に携帯電話器のアクセサリーの内部に画面やメガネをきれいに拭く超微細繊維から成る布を収納しておく構造とするのが良い。図５においてかわいいぬいぐるみなどのアクセサリー２５の内部には超微細繊維から成る布２８（折り畳んだもの）が収納されている（アクセサリーには立体感を出す為、必ず詰め物を詰め込むが、布２８がこれに相当する）。使い方はボタン、面ファスナーなどの留め具２７を外してフタ２６を開け、中から超微細繊維から成る布２８を取り出して曇った画面を拭く。メガネを使用している人はメガネも綺麗に拭くことができる。以上により曇った画面やメガネをきれいに拭く事ができ、布２８を収納しておく専用のケースや袋も不要で、コンパクトである。
【００１１】  野菜サラダを作る時は野菜に付いた水分を良く切っておかないと、水っぽくなって美味しいサラダができないし、野菜炒めを作る時なども油が飛び散って困る事がある。野菜の水切り器は従来はボウルにザルなどを被せて上下に振ったり、遠心分離の原理を用いた回転式があったが、前者は水切りが十分ではなく、後者は高価で、収納に困るものであった。以上の欠点を解消するには図６（イ）に示す様に超微細繊維から成る超吸水性クロス（布）で作った袋状の水切り器２９を用いるのが良く、底部は二又部３０を有する二又状になっている（もちろん、三叉状にする事も考えられる）。次に使い方を説明すると、水切り器２９の口を大きく開いて野菜（水で洗った刻んだもの）を入れ、二又部３０に各々ほぼ均等となる様に入れ、紐３１を引いて口を閉じる（紐３１の代わりにチャック、面ファスナーを用いても良い）。そして図６（ロ）の様に二又部３０の間に手を入れて二又部３０を左右に叩き、野菜に付着している水分を叩き落として超吸水性クロスに吸収させる。次に図６（ハ）の様に水切り器２９を上下に振り（内部の野菜を放り上げる様に動かす）。これにより内部の野菜をかく乱し、野菜に付着している水分を二又部３０の超吸水性クロスに吸収させ、これで終了である。この様に水切り器２９は超吸水性クロス製なので、野菜に付いた水分は非常に良く吸い取られ、かつ水分が外へ飛び散らないので、どこででもでき、便利である。かつ折り畳む事によりコンパクトになり、収納に困る事もない。又、ぞうきんとしても使え、カーペットにこぼしたジュースなどは１回で全部拭き取る事ができる（通常のぞうきんでは何回も拭き取らねばならず、その間にシミにもなる。）。
【００１２】  大切な絵や写真は額縁に収めて飾っておくが、一般には額縁は木で作られた四角い枠であり、美しさ、豪華さに欠ける。これを解決するには図７（イ）に示す額縁カバー３２が有効である。額縁カバー３２は色彩・柄などを工夫して美しく豪華に見せる為の布製であり、内側に輪ゴム３３を内蔵している。そして全体が伸縮性を持つ様に構成されている。
使い方は輪状に作られた額縁カバー３２を図７（ロ）の様に額縁へ被せるだけであり、内臓された輪ゴム３３により内側へ引っ張られる為、額縁カバー３２は額縁に綺麗に被さる（図ではヒダもは入っている）。
以上により、現在所有している額縁が美しく豪華なものに変身する（高価な額縁に買い換える必要はない）。この額縁カバーは目覚まし時計や柱時計の縁飾りとしても使用できるものである。
【００１３】  一般に物干し竿には洗濯物を直接掛けて干す事がある為、雑布などで拭いて清潔にしておく必要があるが、拭いた後に物干し竿に掛けておくと落ちたり、風に飛ばされたりする。そこで靴下などを切って輪状とし、これを物干し竿に通しておく方法があるが（物干し竿を拭いた後は端部に寄せておけば邪魔にならず、便利）、汚れたので洗濯したい場合は図８（イ）からも判る様に物干し竿を持ち上げて引き抜く必要があり、面倒である（竿ストッパーがある場合は、これを取り外す必要がる）。以上の欠点を解消するには図８（イ）に示す様に物干し竿に通して使う輪状の竿拭き３４が考えられる。
即ち、竿拭き３４を開いた図８（ロ）の様に竿拭き３４は外側を形成する拭き部材３５と、拭き部材３５の内側にある拭き部材３６と、拭き部材３５の両端部を結合する結合具３７とから成り、結合具３７は例えば面ファスナーを使用する（この他、ボタン、紐などでも良い）。拭き部材３５、３６は布であり、従って結合具３７を外せば図８（ロ）の様になり、物干し竿から容易に取り外す事ができ、これを洗濯した後は物干し竿に掛けて結合具３７を結合させれば、輪状になって物干し竿から落ちたり、風に飛ばされたりしなくなる。使い初めは空間ａに相当する部分を物干し竿に掛けて拭き、この部分が汚れたら空間ｂに相当する部分を物干し竿に掛けて拭き、次に空間ｃに相当する部分を掛けて拭く………と云う具合に順次清潔な拭き部材で物干し竿を拭いてゆく様にする。拭き部材３６の枚数を図より更に増すと、清潔な拭き部材で物干し竿を拭く回数が増える。この様に竿拭き３４を物干し竿に掛ける時も、取り外す時も、物干し竿を持ち上げる必要がないので、便利である。
【００１４】  一般にブックカバーは本を傷まない様に保護し、美麗化する為に使われるが、ブックカバーを付けた本をバッグに入れない場合は手に持ったり、小脇に抱えたりして持ち歩くので、他に荷物がある場合は不便である。そこで図９に示す様にブックカバー３８に下げ手３９を備えると、この下げ手３９を手に持って本を持ち歩けるので、便利である（小脇に抱える必要がないので、落とす心配はない）。この下げ手３９は例えば布製とし、ブックカバー３８に縫い付けて備える様にする。
【００１５】  きゅうりの様に断面が円形のものや、チョコレートの様に割れる様に急に切れるものは包丁で切る時にまな板から転げ落ちたり、飛び散り易い。これを防ぐ為、まな板の端部に垂直に立ち上る板を取り付けると、この板に包丁が当る為、実質的にまな板が狭くなって非常にやりにくくなる。以上の欠点を解消するには図１０（イ）に示す様に補助まな板４０を使用するのが良い（例えばプラスチック製とする）。即ち、補助まな板４０は底板４１と底板４１の所定の端部に備えられた立ち上り壁とから成り、底板４１の立ち上り壁のない端部を作業者の方に向けて底板４１を置いた時に、底板４１の向こう側の端部に立ち上り壁４２を備え、底板４１の左右の端部の内の少なくともいずれか一方の端部に立ち上り壁４３を備えたものである。
この場合、図１０（イ）は右利き用のものであり、左利き用のものでは立ち上り壁４３は図で左側端部に備える様にする。但し、図１０（ハ）の様に底板４１の左右の端部に各々立ち上り壁４３を備えたものでは、右利き・左利きの両用である（底板４１の左右の長さは長くして使い易い様にする）。立ち上り壁４２、４３は底板４１に垂直な面より外側に向かって倒れる様に備えると、底板４１が広く見え、違和感がない。又、立ち上り壁４２、４３の交叉部は丸くして洗い残しがない様にするのが良い。使用法を説明すると、図１０（ロ）の様に補助まな板４０をまな板の上に置き、この上できゅうり、チョコレートなどを包丁で切るのである。こうすると立ち上り壁４２、４３が壁となって包丁で切ったものがまな板の外に転げ落ちたり、飛び散ったりする事がない。この場合、まな板より補助まな板４０の方がｌだけ向こう側へ突き出る様にまな板の上に補助まな板４０を置くのがコツであり、こうすると包丁の先が立ち上り壁４２に当らず、まな板が狭くなる事がない（底板４１の下側にはシリコーンゴムなどの、高摩擦材料を部分的又は全面に備えて、補助まな板４０の固定力を増すのが良い）。包丁で切り終ったら、補助まな板４０の上のきゅうり、チョコレートなどの切り刻んだものをボウル等に移し入れるが、底板４１をＵ字形に曲げながら（底板４１の厚さは１〜２ｍｍ位と薄くする）移し入れると、こぼれない。４４は収納時に使用するフックで、図１０（ハ）において４５はスリットを示し、底板４１を曲げ易くしたものである（必要不可欠ではない）。尚、補助まな板４０はまな板の下に配置して、きゅうりやチョコレートなどをまな板の上で切っても同様の効果がある。
【図面の簡単な説明】
【００１６】
【図１】  本発明によるバスルームハンガーを示す図。
【図２】  石けん入れネットを示す図。
【図３】  エンドストッパーを示す図。
【図４】  通水カップを有する湯掻き棒を示す図。
【図５】  携帯電話器のアクセサリーを示す図。
【図６】  野菜の水切り器を示す図。
【図７】  額縁カバーの図。
【図８】  竿拭きを示す図。
【図９】  ブックカバーを示す図。
【図１０】  補助まな板を示す図。
【符号の説明】  １はレール棒、２はフック部、３・３′はアーム、４・８はハンガー部、５は突出棒、６は支持部材、７はピン、９は石けん入れネット、１０は開口部、１１は輪ゴム、１２は突出部、１３はフック、１４は穴、１５・は底板、１５′は突出部、１６は側板、１７は支持板、１８・１８′はエンドカバー、１９は湯掻き棒、２０は棒、２１は通水カップ、２２は立ち上り縁、２３は排出口、２４は掻き混ぜ板、２５はアクセサリー、２６はフタ、２７は留め具、２８は布、２９は水切器、３０は二又部、３１は紐、３２は額縁カバー、３３は輪ゴム、３４は竿拭き、３５・３６は拭き部材、３７は結合具である。３８はブックカバー、３９は下げ手、４０は補助まな板、４１は底板、４２・４３は立ち上り壁、４４はフック、４５はスリットである。
【図１】
2012239875.tif 000003
【図２】
2012239875.tif 000004
【図３】
2012239875.tif 000005
【図４】
2012239875.tif 000006
【図５】
2012239875.tif 000007
【図６】
2012239875.tif 000008
【図７】
2012239875.tif 000009
【図８】
2012239875.tif 000010
【図９】
2012239875.tif 000011
【図１０】
2012239875.tif 000012